【手続補正書】
【提出日】平成17年9月29日(2005.9.29)
【手続補正１】
【補正対象書類名】明細書
【補正対象項目名】特許請求の範囲
【補正方法】変更
【補正の内容】
【特許請求の範囲】
【請求項１】
コード分割多重アクセス通信システムにて信号を送信する方法であって、
（ａ）前記信号の第１偏波を第１アンテナから送信する工程、及び
（ｂ）前記信号の第２偏波を第２アンテナから送信する工程を具備し、
前記信号の第１偏波は、前記信号の第２偏波とは異なる偏波方向及び異なる方向で送信されることを特徴とする方法。
【請求項２】  
前記第１偏波は前記第２偏波に直交していることを特徴とする請求項１記載の方法。
【請求項３】
前記信号の第１偏波は、前記信号の第２偏波に対して異なる時間オフセットを有していることを特徴とする請求項１記載の方法。
【請求項４】
１組のマルチパスコピーにより信号を受信するシステムであって、
前記１組のマルチパスコピーに応答して、前記マルチパスコピーに対応する１組の第１偏波を発生する第１偏波受信システムと、
前記１組のマルチパスコピーに応答して、前記マルチパスコピーに対応する１組の第２偏波を発生する第２偏波受信システムと、
前記マルチパスコピーに対応する１組の第１偏波及び前記マルチパスコピーに対応する１組の第２偏波に応答して、第１のソフト決定データを発生する第１復調システム、及び
前記マルチパスコピーに対する１組の第１偏波及び前記マルチパスコピーに対する１組の第２偏波に応答して、第２のソフト決定データを発生する第２復調システム、
を具備することを特徴とするシステム。
【請求項５】
前記マルチパスコピーに対する１組の第１偏波及び前記マルチパスコピーに対する１組の第２偏波における特定マルチパスコピーの時間オフセットを識別するサーチャーを更に具備することを特徴とする請求項４記載のシステム。
【請求項６】
前記サーチャーは更に、前記マルチパスコピーに対する１組の第１偏波又は前記マルチパスコピーに対する１組の第２偏波のどちらかを復調するよう、前記第１復調システム及び前記第２復調システムを構成することを特徴とする請求項５記載のシステム。
【請求項７】
コード分割多重アクセス信号を送信するシステムであって、
前記信号の第１偏波を第１アンテナから送信する第１無線周波数処理ユニットと、
前記信号の第２偏波を第２アンテナから送信する第２無線周波数処理ユニットを具備し、
前記信号の第１偏波は、前記信号の第２偏波とは異なる偏波方向及び異なる方向で送信されることを特徴とするシステム。
【請求項８】  
前記第１偏波は前記第２偏波に対して直交していることを特徴とする請求項７記載のシステム。
【請求項９】
前記第１無線周波数処理ユニットは、前記信号の第１偏波を第１時間オフセットで送信し、
前記第２無線周波数処理ユニットは、前記信号の第２偏波を第２時間オフセットで送信することを特徴とする請求項７記載のシステム。
【手続補正２】
【補正対象書類名】明細書
【補正対象項目名】００１５
【補正方法】変更
【補正の内容】
【００１５】
動作中に、アンテナシステム７０は基地局２２から左傾斜及び右傾斜ＲＦ信号を受信する。ＲＦ受信器はこれらの信号を濾波、周波数減少変換、デジタル化し、サンプル８６を発生する。サーチャー及びコントロールシステム７８はサンプル８６を受信し、信号を変調するときに用いたＰＮコードを使用して繰り返しオフセットサーチを行い、図２の信号６０，６０ａ、６２及び６２ａの各到着時間を判断する。信号６０，６０ａ、６２及び６２ａの各到着時間が判断されると、サーチャー及びコントロールシステム７８は、信号６０，６０ａ、６２及び６２ａを、右傾斜サンプル８６又は左傾斜サンプル８６にて、対応する各到着時間に、制御インターフェースを用いて処理するよう復調器８０ａ〜ｃを指示する。
【手続補正３】
【補正対象書類名】明細書
【補正対象項目名】００１６
【補正方法】変更
【補正の内容】
【００１６】
好適実施例において、復調器８０ａ〜ｃはＰＮ拡散コード及びウォルシュ(Walsh)チャネルコードを用いてサンプルを復調する。これらのコードはＩＳ−９５標準及び関係する各到着時間（オフセット）に従って構成及び発生される。また、復調器８０ａ〜ｃは時間追跡(tracking)を行い、各到着時間の変動を調節する。復調器８０ａ〜ｃによる復調は、結合器８２により受信されるソフト決定データを発生する。結合器８２はソフト決定データを結合し、加算されたソフト決定データを生成し、このデータはデコーダ（図示されず）により受信される。デコーダはソフト決定デコードを行い、ハード決定データ９９を発生し、このデータ９９はデータ操作又は音響トーン等の更なる処理に使用できるようになる。トレリス(trellis)又はビタービ（Ｖｉｔｅｒｂｉ）でコーディングを含む様々のデコード法が知られ、本発明に適用できる。
【手続補正４】
【補正対象書類名】明細書
【補正対象項目名】００１８
【補正方法】変更
【補正の内容】
【００１８】
図４は本発明の他の実施例に従って構成された加入者ユニット２０の受信処理部を示すブロック図である。右傾斜アンテナシステム２７０及び左傾斜アンテナシステム２７２はＲＦ信号を受信し、この信号はＲＦ受信器２７４及び２７６に提供される。ＲＦ受信器２７４及び２７６は復調器２８０ａ〜ｃ及びサーチャー及びコントローラ２７８に接続されている。復調器２８０ａ〜ｃはサーチャー及びコントローラ２７８及び結合器２８２に接続されている。３つの復調器２８０が示されているが、４又はそれ以上の数の復調器の使用も本発明に含まれる。右傾斜及び左傾斜アンテナシステム２７０及び２７２として示されているが、加入者ユニットの代表的な移動性により、アンテナシステムの絶対的な偏波特性は変化するが、相対的な偏波特性は変化しない。
【手続補正５】
【補正対象書類名】明細書
【補正対象項目名】００２０
【補正方法】変更
【補正の内容】
【００２０】
サーチャー２７８は右傾斜サンプル２８６及び左傾斜サンプルを受信し、その信号を変調するときに用いたＰＮコードを用いてオフセットサーチを繰り返し実行し、図２の信号６０，６０ａ、６２及び６２ａの各到着時間を判断する。信号６０，６０ａ、６２及び６２ａの各到着時間が判断されると、サーチャー２９０は信号６０，６０ａ、６２及び６２ａを、対応する各到着時間に制御インターフェース２７２を用いて、右傾斜サンプル２８６又は左傾斜サンプル８８のどちらかにおいて処理するよう復調器２８０ａ〜ｃを構成する。好適実施例において、復調器２８０ａ〜ｃはＩＳ−９５標準及び対応する各到着時間（オフセット）に従って構成及び発生されるＰＮ拡散コード及びウォルシュチャネルコードを用いてサンプルを復調する。更に、復調器２８０ａ〜ｃは時間追跡を行い、各到着時間の変動を調節する。
【手続補正６】
【補正対象書類名】明細書
【補正対象項目名】００２３
【補正方法】変更
【補正の内容】
【００２３】
図５は本発明の他の実施例に従って構成されたセルラ電話システムの一部を示す簡略ブロック図である。基地局２２は基地局コントローラ２４に接続され、このコントローラ２４は電話交換ネットワーク（ＰＳＴＮ）に接続されている。ＰＳＴＮは従来の有線電話ネットワークである。図示されるように、加入者ユニット２０はＲＦ信号を加入者ユニット２０に送信し通信を行う。
【手続補正７】
【補正対象書類名】明細書
【補正対象項目名】００２４
【補正方法】変更
【補正の内容】
【００２４】
加入者ユニット２０は右傾斜信号３６０ａ及び左傾斜信号３６０ｂとして示される２つの直交偏波フォワードリンク信号を、アンテナシステム３６２及び３６４から発生する。これらの信号はデジタルユニット３６５から受信されたデジタル信号に応答して、加入者ユニット２０の一部である２つの分離アンテナにより送信された信号である。このデータはデジタル音声のような外部ソースから受信される。
【手続補正８】
【補正対象書類名】明細書
【補正対象項目名】００２７
【補正方法】変更
【補正の内容】
【００２７】
図５に示すように、右傾斜信号３６４は樹木６１を反射し、マルチパス信号３６２ａを発生し、左傾斜信号３６２は建物６３を反射しマルチパス信号３６２ｂを発生する。当分野で知られるように、反射は既に偏波した信号を変形、又は偏波していない信号に偏波性を加える。基地局２２は信号３６０ａ、３６０ｂ、３６２ａ及び３６２ｂを受信して受信復調を行い、送信データを抽出する。本発明の一実施例において、基地局２２は信号３６０ａ、３６０ｂ、３６２ａ及び３６２ｂを、結果的に生じた幾らかのマルチパスを濾波する特定偏波性を有するアンテナシステムを介して受信する。
図６は本発明の他の実施例に係る加入者ユニット２０と通信するために構成された基地局２２の受信処理システムの一部を示すブロック図である。基地局２２において、セルサイトモデム（ＣＳＭ）８４がアンテナシステムに接続されて示されている。このアンテナシステムは右傾斜アンテナ１７０及び左傾斜アンテナ１７２ならびにＲＦ受信器１７４及び１７６から構成されている。代表的に、基地局は図５の信号３６０，３６０ａ、３６２、３６２ａのような１組の信号を受信する。図示するように、基地局は加入者ユニット２０から送信されたＲＦ信号の３つの例又は発生を受信する。１例３６０ａ又は３６０ｂは直接経路で受信される。他の例３６２ａは樹木６１を反射する。第３の例３６２ｂは建物６３を反射する。更に、他の信号が他の加入者ユニット２０から送信され、アンテナ１７０及び１７２で受信される。